(57)【要約】      （修正有）【課題】トラバースシャーシの自励振動についての吸振性を改善することによって、光ピックアップによる光学的読取りエラーを生じにくくする。【解決手段】トラバースシャーシ５０、トラバースシャーシ５０を傾動可能に支持する支持機構、トラバースシャーシ５０を傾動させるカム機構１０などを備える。カム機構１０が、トラバースシャーシ５０に設けられた従動子２０と、カム板３０と、カム板３０のカム溝３１と、案内面４１を有する補助ガイド部材４０とでなる。従動子２０はダンパー作用を発揮する弾性体２３を備える。カム溝３１の乗上り面に乗り上がった従動子２０を斜めに押圧する押圧手段を備える。押圧手段を、補助ガイド部材４０と共に樹脂で一体成形した樹脂ばねでなるばね体８０によって形成する。【選択図】図２
2009076150.tif 000002
【特許請求の範囲】
【請求項１】
ターンテーブルを備えるトラバースシャーシと、このトラバースシャーシの一端部を固定側フレームに支持する支持機構と、この支持機構による支持位置を支点として上記トラバースシャーシの他端部を直線路に沿って往復移動させるカム機構と、このカム機構が上記トラバースシャーシの他端部を往動させたときに上記ターンテーブルに載架されているディスクをそのターンテーブルと共働して回転可能に挟持するクランパとを備え、
上記カム機構が、上記トラバースシャーシに設けられた従動子と、上記トラバースシャーシの他端部の往復移動方向に直交する方向に正逆移動されるカム板と、このカム板に設けられて上記従動子を摺動させることにより上記トラバースシャーシの他端部を直線路に沿って往復移動させるカム溝と、上記カム板が正逆移動するときに上記従動子を摺動させてその従動子の往復移動を案内する補助ガイド部材とでなり、
上記従動子が上記カム溝と摺動して往動限位置に達したときに、その従動子が、上記カム溝の乗上り面に乗り上り、かつ、その乗上り面に対して直交する上記補助ガイド部材の案内面に対峙するようになっているディスク装置において、
上記乗上り面に乗り上がってきた上記従動子を押圧して上記乗上り面と上記案内面とに弾圧させる押圧手段を備えていることを特徴とするディスク装置。
【請求項２】
上記従動子が、上記トラバースシャーシに設けられた突起部と、この突起部に外嵌合されて往復移動時に上記カム溝及び上記補助ガイド部材の案内面の両方と摺動する円筒状のカバー部と、上記突起部と上記カバー部との間に介在されてダンパー作用を発揮する弾性体とを有している請求項１に記載したディスク装置。
【請求項３】
上記押圧手段が、上記乗上り面と上記案内面との両方に対して傾斜する方向に上記カバー部の外周面の１箇所を押圧するばね体でなる請求項２に記載したディスク装置。
【請求項４】
上記ばね体が、樹脂製の上記補助ガイド部材と共に樹脂で一体成形されている請求項３に記載したディスク装置。
【請求項５】
上記補助ガイド部材が、上記カム板の正逆移動を案内するスライド面を備えた樹脂成形体でなる上記固定側フレームに樹脂で一体成形されている請求項１ないし請求項４のいずれか１項に記載したディスク装置。
【発明の詳細な説明】
【技術分野】
【０００１】
本発明は、ディスク装置、特に、クランパとの間でディスクを挟持して回転させるターンテーブルがトラバースシャーシに搭載されているものにおいて、そのトラバースシャーシの自励振動に起因するディスクの読取りエラーを抑制するための対策を講じたディスク装置に関する。
【背景技術】
【０００２】
この種のディスク装置では、固定側フレーム（ローダシャーシ）にトラバースシャーシの一端部が支持されていて、そのトラバースシャーシは固定側フレームとの支持位置を支点として直線路に沿って傾動可能（往復移動可能）になっている。また、トラバースシャシには、光ピックアップなどの光学要素のほか、ターンテーブルが搭載されていて、トラバースシャーシがターンテーブルを伴って往動すると、ターンテーブルに載架されているディスクが、上記固定側フレーム取り付けられて定位置で待ち受けているクランパとターンテーブルとの共働により挟持される。そして、クランパとターンテーブルとにより挟持されたディスクがターンテーブルと共に回転され、その回転中に、光ピックアップによりディスクが光学的に処理される。
【０００３】
この種のディスク装置にあっては、トラバースシャーシの往復移動を行わせる手段として次に説明するカム機構を採用したものが知られている（特許文献１参照）。この特許文献１に示されているカム機構１０とを示した概略分解斜視図である。
【０００４】
図５は特許文献１に記載されているディスク装置のカム機構１０を示した概略正面図である。このカム機構１０は、上記したトラバースシャーシ（不図示）に設けられている従動子２０と、トラバースシャーシの他端部の往復移動方向に直交する方向に矢印Ｘのように正逆移動されるカム板３０と、このカム板３０に設けられて従動子２０を摺動させることによりトラバースシャーシの他端部を直線路に沿って往復移動させるカム溝３１と、カム板３０が正逆移動するときに従動子２０を摺動させてその従動子２０の往復移動を案内するまっすぐな案内面４１を有する補助ガイド部材４０とでなる。カム板３０のカム溝３１には、従動子２０がその往動限位置で乗り上がる水平な第１乗上り面３２と、従動子２０がその復動限位置で乗り上がる水平な第２乗上り面３３と、第１及び第２の各乗上り面３２，３３を連続させる傾斜面３４とが備わっている。
【０００５】
上記カム機構１０を備えるディスク装置において、トラバースシャーシに搭載されているターンテーブルと上記したクランパとが共働してディスクを挟持しているときには、図５に示したように、カム溝３１の第１乗上り面３２に乗り上がっているカム機構１０の従動子２０が、案内面４１により挟まれている。このため、従動子２０及びその従動子２０を備えているトラバースシャーシの他端部は、同図に矢印Ａで示したトラバースシャーシの往復移動方向（上下方向）及び同図に矢印Ｂで示したトラバースシャーシの往復移動方向に直交する方向（左右方向）で一応は位置決めされている。
【発明の開示】
【発明が解決しようとする課題】
【０００６】
図５を参照して説明したカム機構１０において、従動子２０の弾性体２３による吸振作用を効率よく発揮させるためには、カム溝３１の第１乗上り面３２に乗り上がっているカム機構１０の従動子２０が案内面４１により挟まれて矢印Ａ、矢印Ｂのように互いに直交する方向で正確に位置決めされていることが望まれる。
【０００７】
しかしながら、カム溝３１の第１乗上り面３２に乗り上がっているカム機構１０の従動子２０と案内面４１との相互間、並びに、そのような従動子２０とカム溝３１の相互間には、従動子２０の円滑移動を許容する上で不可欠な隙間や製作誤差に起因する隙間などが存在しているために、従動子２０が上記した矢印Ａ、矢印Ｂのように互いに直交する方向でがたつきなく正確に位置決めされることはない。そのため、上記カム機構１０では、ディスク回転中にトラバースシャーシが自励振動を起こしたときに、従動子２０の全体が振動してその従動子２０の弾性体２３による吸振作用が効率よく発揮されないという事態の起こるおそれがある。そして、そのように従動子２０が自励振動して弾性体２３の吸振性が低下すると、回転中のディスクが振動して光ピックアップによる光学的読取りエラーを生じやすくなり、画像乱れや音飛びなどを発生しやすくなるという問題がある。
【０００８】
この問題は、特に偏重心を持つディスクを再生するときなどに起こりやすいことが判っている。また、トラバースシャーシの自励振動に伴う従動子の振動によって発生する熱の影響でカム溝３４の第１乗上り面３２や補助ガイド部材４０の案内面４１などが変形して光学的読取りエラーを生じさせやすくなるおそれがあり、そのおそれは、温度６５℃、湿度８０％といった高温環境下や、温度６５℃、湿度８０％、貯蔵時間１２０時間といった高温貯蔵後において特に顕著に現れることが判っている。
【０００９】
そこで、本発明は、ターンテーブルとクランパとによって挟持されたディスクの回転中に、カム溝の乗上り面に乗り上がっているカム機構の従動子が、トラバースシャーシの自励振動に伴う振動を起こすことを抑制することによって、光ピックアップによる光学的読取りエラーを生じにくくすることのできるディスク装置を提供することを目的とする。
【００１０】
特に、本発明は、従動子に弾性体の作用に基づく吸振作用が付与されているようなカム機構を備えるディスク装置において、カム溝の乗上り面に乗り上がっている従動子の弾性体についての吸振性の低下を防ぐことによって、光ピックアップによる光学的読取りエラーを生じにくくすることのできるディスク装置を提供することを目的とする。
【００１１】
また、本発明は、図５を参照して説明したディスク装置のカム機構の一部の構成を改善するだけで済み、余分な部品を追加することなく上記した各目的を達成することのできるディスク装置を提供することを目的としている。
【課題を解決するための手段】
【００１２】
本発明に係るディスク装置は、ターンテーブルを備えるトラバースシャーシと、このトラバースシャーシの一端部を固定側フレームに支持する支持機構と、この支持機構による支持位置を支点として上記トラバースシャーシの他端部を直線路に沿って往復移動させるカム機構と、このカム機構が上記トラバースシャーシの他端部を往動させたときに上記ターンテーブルに載架されているディスクをそのターンテーブルと共働して回転可能に挟持するクランパとを備えている。また、上記カム機構が、上記トラバースシャーシに設けられた従動子と、上記トラバースシャーシの他端部の往復移動方向に直交する方向に正逆移動されるカム板と、このカム板に設けられて上記従動子を摺動させることにより上記トラバースシャーシの他端部を直線路に沿って往復移動させるカム溝と、上記カム板が正逆移動するときに上記従動子を摺動させてその従動子の往復移動を案内する補助ガイド部材とでなる。さらに、上記従動子が上記カム溝と摺動して往動限位置に達したときに、その従動子が、上記カム溝の乗上り面に乗り上り、かつ、その乗上り面に対して直交する上記補助ガイド部材の案内面に対峙するようになっている。そして、上記乗上り面に乗り上がってきた上記従動子を押圧して上記乗上り面と上記案内面とに弾圧させる押圧手段を備えている。
【００１３】
この構成であると、従動子がカム溝と摺動して往動限位置に達することによってターンテーブルとクランパとがディスクを挟持したときには、カム溝の乗上り面に乗り上がっているカム機構の従動子がカム溝の乗上り面と補助ガイド部材の案内面との両方に弾圧されている。そのため、従動子が互いに直交する２方向でがたつきなく正確に位置決めされるようになり、トラバースシャーシの自励振動を抑制することに役立つ。そのため、回転中のディスクが振動して光ピックアップによる光学的読取りエラーを生じやすいという問題が解消されて、画像乱れや音飛びなどを発生しにくいディスク装置を提供することが可能になる。
【００１４】
本発明では、上記従動子が、上記トラバースシャーシに設けられた突起部と、この突起部に外嵌合されて往復移動時に上記カム溝及び上記補助ガイド部材の案内面の両方と摺動する円筒状のカバー部と、上記突起部と上記カバー部との間に介在されてダンパー作用を発揮する弾性体とを有している、という構成を採用することが可能である。この構成を備える従動子にあっては、従動子がカム溝と摺動して往動限位置に達することによってターンテーブルとクランパとがディスクを挟持したときには、カム溝の乗上り面に乗り上がっている従動子の円筒状のカバー部が、カム溝の乗上り面と補助ガイド部材の案内面との両方に弾圧される。そのため、従動子のカバー部が互いに直交する２方向でがたつきなく正確に位置決めされるようになり、ダンパー作用を発揮する弾性体の吸振性の低下が防止される。したがって、トラバースシャーシの自励振動が弾性体により効率よく吸収されることになり、そのことが、光ピックアップによる光学的読取りエラーを生じにくくすることに役立つ。また、トラバースシャーシの自励振動に伴う従動子の振動によって発生する熱の影響でカム溝の乗上り面や補助ガイド部材の案内面などが変形するという自体が抑制されて、光学的読取りエラーを生じにくくなる。
【００１５】
本発明では、上記押圧手段が、上記乗上り面と上記案内面との両方に対して傾斜する方向に上記カバー部の外周面の１箇所を押圧するばね体でなる、という構成を採用することが可能であり、その場合には、上記ばね体が、樹脂製の上記補助ガイド部材と共に樹脂で一体成形されていることが望ましい。このように、ばね体を補助ガイド部材と共に樹脂で一体成形しておくと、ばね体として余分な部品を追加する必要がないという利点がある。
【００１６】
また、本発明では、上記補助ガイド部材が、上記カム板の正逆移動を案内するスライド面を備えた樹脂成形体でなる上記固定側フレームに樹脂で一体成形されている、という構成を採用することも可能である。
【発明の効果】
【００１７】
以上説明したように、本発明に係るディスク装置によれば、ターンテーブルとクランパとによって挟持されたディスクの回転中にトラバースシャーシが自励振動を起こしたとしても、カム溝の乗上り面に乗り上がっているカム機構の従動子が振動するという自体が抑制されて光ピックアップによる光学的読取りエラーが生じにくくなる。特に、従動子に弾性体の作用に基づく吸振作用が付与されているようなカム機構を備えるディスク装置においては、弾性体による吸振性が改善されて光ピックアップによる光学的読取りエラーが生じにくくなる。さらに、本発明では、余分な部品を追加することなく、カム機構の一部の構成を改善するだけで、トラバースシャーシの自励振動による従動子の振動を抑制して、上記したような光ピックアップによる光学的読取りエラーが生じにくくなるという作用を得ることができるという効果が奏される。
【発明を実施するための最良の形態】
【００１８】
図１は本発明の実施形態に係るディスク装置の概略構成を裏面側から見て示した平面図、図２は図１のディスク装置に用いられているトラバースシャーシ５０とカム機構１０とを示した概略分解斜視図である。また、図３はカム機構１０を示した概略正面図、図４は図３の要部を拡大した説明図である。
【００１９】
図１において、６０は矩形枠形に形成されたローダシャーシとしての固定側フレームであり、この固定側フレーム６０に対して仮想線で示したディスクトレイ７０を矢印Ｌで示した出入れ方向（前後方向）に移動させることができるようになっている。図示していないけれども、ディスクトレイ７０の上面には円板状のディスクの載置部が凹入状に形成されていて、その載置部に載置されたディスクが、ディスクトレイ７０の矢印Ｌ方向の移動によって固定側フレーム６０の略中央部のセット位置に対して出入れされる。
【００２０】
固定側フレーム６０には、光ピックアップ６１などの光学要素のほか、ターンテーブル６２を搭載したトラバースシャーシ５０が取り付けられている。トラバースシャーシ５０は、その長手方向（前後方向に一致する）の一端部５１が固定側フレーム６０に取り付けられていて、その取付箇所イを支点としてその反対側の長手方向の他端部（自由端）５２が上下方向に傾動自在になっている。図例のディスク装置において、上記取付箇所イには、トラバースシャーシ５０に固定側フレーム６０などから衝撃が伝達されるのを防ぐために緩衝体５３が介在されている。緩衝体５３は防振ゴムでなり、図２のようにトラバースシャーシ５０の一端部５１に形成された割り孔５４に嵌め込むことによってトラバースシャーシ５０に保持され、その緩衝体５３に下方から挿通させた取付ねじ５５が図１に示した固定側フレーム６０のねじ孔（不図示）にねじ込まれる。こうしてトラバースシャーシ５０の一端部５１が固定側フレーム６０に取り付けられていると、緩衝体５３の変形を通じてトラバースシャーシ５０の他端部５２が取付箇所イを支点として一点鎖線イ’の回りで直線路に沿って往復移動（傾動）することができるようになる。しかも、固定側フレーム６０で発生した衝撃が緩衝体５３により吸収されてトラバースシャーシ５０に伝わりにくくなる。上記した緩衝体５３及び取付ねじ５５は、トラバースシャーシ５０の一端部５１を固定側フレーム６０に支持する支持機構を構成している。
【００２１】
図２に示したカム機構１０は、トラバースシャーシ５０の他端部に設けられる従動子２０と、カム板３０と、このカム板３０に設けられているカム溝３１と、補助ガイド部材４０とを備えている。この実施形態において、従動子２０は、トラバースシャーシ５０の他端部中央部位に設けられた突起部２１と、この突起部２１に外嵌合されて往復移動時にカム溝３１及び補助ガイド部材４０の案内面４１の両方と摺動する円筒状のカバー部２２と、突起部２１とカバー部２２との間に介在されてダンパー作用を発揮する筒状の弾性体２３とを有している。また、カム板３０は、トラバースシャーシ５０の他端部５２の往復移動方向に直交する方向（矢印Ｘで示した左右方向）に正逆移動されるようになっている。補助ガイド部材４０の案内面４１は、カム板３０が正逆移動するときに従動子２０を摺動させてその従動子２０のまっすぐな往復移動を案内する役割を果たす。
【００２２】
カム機構１０に関して上記した構成は、図５を参照して説明したカム機構１０と同様である。そして、このディスク装置では、固定側フレーム６０にクランパ（不図示）が取り付けられていて、このクランパがトラバースシャーシ５０に搭載されているターンテーブル６２と共働してディスクを挟持し得るようになっていると共に、クランパとターンテーブル６２とによって挟持されているディスクが、ターンテーブル６２と共に回転するようになっている。
【００２３】
トラバースシャーシ５０に搭載されているターンテーブル６２と上記クランパとが共働してディスクを挟持しているときには、図３に示したように、カム溝３１の第１乗上り面３２に乗り上がっているカム機構１０の従動子２０が、案内面４１によって挟まれている。このため、従動子２０及びその従動子２０を備えているトラバースシャーシ５０の他端部５２は、トラバースシャーシ５０の往復移動方向（上下方向）及びトラバースシャーシ５０の往復移動方向に直交する方向（左右方向）で一応は位置決めされている。
【００２４】
しかしながら、この構成のままでは、冒頭で説明したようにカム溝３１の第１乗上り面３２に乗り上がっている従動子２０と案内面４１との相互間、並びに、そのような従動子２０とカム溝３１の相互間に、従動子２０の円滑移動を許容する上で不可欠な隙間や製作誤差に起因する隙間などが存在しているために、従動子２０が互いに直交する上記２方向でがたつきなく正確に位置決めされているとはいえない。したがって、上記した構成を備えているだけに過ぎないカム機構１０では、ディスク回転中にトラバースシャーシ５０が自励振動を起こしたときに、従動子２０の全体が振動してその従動子２０の弾性体２３による吸振作用が効率よく発揮されないという事態の起こるおそれがある。
【００２５】
そこで、この実施形態では、カム溝３１の第１乗上り面３２に乗り上がってきた従動子２０を押圧して第１乗上り面３２と補助ガイド部材４０の案内面４１とに弾圧させる押圧手段を設けてある。この押圧手段は図２〜図４に示したばね体８０でなる。図例では、ばね体８０が、樹脂製の補助ガイド部材４０の案内面４１に沿う切込み４２をその補助ガイド部材４０に具備させることによって、その補助ガイド部材４０に一体に樹脂で一体成形された樹脂ばねでなる。さらに具体的には、図３又は図４のように、カム溝３１の第１乗上り面３２に乗り上がった従動子２０に弾接する位置に上記樹脂ばねでなるばね体８０を形成してあると共に、そのばね体８０に傾斜面８１を具備させてある。そして、この傾斜面８１が、カム溝３１の第１乗上り面３２に乗り上がった従動子２０のカバー部２２の外周面の１箇所を押圧することによって、そのカバー部２２を第１乗上り面３２と案内面４１との両方に対して矢印Ｍのように傾斜する方向に押圧するようになっている。このため、カム溝３１の第１乗上り面３２に乗り上がった従動子２０が、ばね体８０の弾圧作用によって第１乗上り面３２と案内面４１との両方に弾圧されるようになり、カバー部２２が互いに直交する２方向でがたつきなく正確に位置決めされる。その結果、ディスク回転中にトラバースシャーシ５０が自励振動を起こしたときに、従動子２０の全体が振動してその従動子２０の弾性体２３による吸振作用が効率よく発揮されないという事態の起こるおそれが少なくなり、トラバースシャーシ５０が自励振動を起こしたときの従動子２０の弾性体２３による吸振性が改善されることになる。こうして弾性体２３による吸振性が改善されると、回転中のディスクが振動して光ピックアップによる光学的読取りエラーを生じやすいという問題が解消され、特に偏重心ディスクを取り扱うときであっても画像乱れや音飛びなどが発生しにくくなる。また、トラバースシャーシ５０の自励振動に伴う従動子２０の振動によって発生する熱の影響でカム溝３４の第１乗上り面３２や補助ガイド部材４０の案内面４１などが変形して光学的読取りエラーを生じるというおそれもなくなる。
【００２６】
この実施形態では、従動子２０が吸振性を発揮する弾性体２３を備えているけれども、この弾性体２３は必ずしも必要ではない。すなわち、従動子を、トラバースシャーシの他端部に突出させた突起によって形成し、その突起をカム板のカム溝に摺動可能に係合させると共に、その突起を補助ガイド部材の案内面で直線路に沿って案内するように構成したものであってもよい。
【図面の簡単な説明】
【００２７】
【図１】本発明の実施形態に係るディスク装置の概略構成を裏面側から見て示した平面図である。
【図２】図１のディスク装置に用いられているトラバースシャーシとカム機構とを示した概略分解斜視図である。
【図３】カム機構を示した概略正面図である。
【図４】図３の要部を拡大した説明図である。
【図５】従来例としてのディスク装置に用いられているカム機構を示した概略正面図である。
【符号の説明】
【００２８】
１０  カム機構
２０  従動子
２１  突起部
２２  カバー部
２３  弾性体
３０  カム板
３１  カム溝
３２  第１乗上り面（乗上り面）
４０  補助ガイド部材
４１  案内面
５０  トラバースシャーシ
５１  トラバースシャーシの一端部
５２  トラバースシャーシの他端部
５３  緩衝体（支持機構）
５５  取付ねじ（支持機構）
６０  固定側フレーム
６２  ターンテーブル
６５  スライド面
８０  ばね体（押圧手段）
【図１】
2009076150.tif 000003
【図２】
2009076150.tif 000004
【図３】
2009076150.tif 000005
【図４】
2009076150.tif 000006
【図５】
2009076150.tif 000007